(57)【要約】  本発明は、使用者が施錠システムを解除することができないときにいつでも作動させる、陸用及び空用の乗り物のシートベルト切断装置を構成する。それは、ベルト自体に挿入され、ベルトに沿ってスライドし、かつ、ベルトの誘導部として機能するフラップ部（３）及び安全手段の挿入のための穴（４）を含み、ベルト（２）がスライドする本体（１）と、下方の本体のフラップ部と係合する周辺誘導部を有するカバーであって、本体上にて回転するカバー（７）と、安全手段（５）と、カバーに組み込まれる刃（６）とを備えることによって実質的に特徴づけられる。【選択図】図１
2019501827.tif 000002
【特許請求の範囲】
【請求項１】
前記使用者が前記施錠システムを解除できない事故の場合に作動させ、前記ベルト自体に挿入され、それに沿ってスライドし、シートベルトを用いる全ての種類の陸用及び空用の乗り物のためのシートベルト切断装置であって、
前記ベルトが前記スライドするための誘導部を形成する２つのフラップ部（３）と、安全手段の前記挿入のための穴（４）とを備え、前記ベルト（２）がスライドする本体（１）と、
周辺誘導部として機能し、前記上述の下方の本体の前記フラップ部（３）が係合し、前記上述の本体上にて回転するフラップ部（１０）と、安全手段（５）の前記通路のための穴（８）とを含むカバー（７）と、
安全手段（５）と、
前記カバーの前記下方の部分から突出するように前記上述のカバー（７）に組み込まれる刃（６）と、を備えることを特徴とするシートベルト切断装置。
【請求項２】
前記上述のカバー（７）は、前記本体の前記弁（３）の内部での回転が可能な様に前記上述の本体（１）に適合し、前記上述のフラップ部が、前記上述のカバー（７）のための回転誘導部として機能することを特徴とする、請求項１に記載のシートベルト切断装置。
【請求項３】
前記本体（１）上の前記カバー（７）の前記組み込みは、前記それぞれのスライド誘導部における前記ベルト（２）の前記締め付けの後に、切断される際に前記切断動作を妨害する、前記ベルトのねじれ及び皺の形成を防止することを特徴とする、請求項１に記載のシートベルト切断装置。
【請求項４】
前記上述の本体（１）は、前記上述のカバー（７）が回転した時に、前記ベルト（２）の前記切断を実施するために、前記上述の刃（６）が周辺で動くように、前記刃（６）のための、凹部/誘導部（９）が備えられることを特徴とする、請求項１に記載のシートベルト切断装置。
【請求項５】
前記刃（６）は、前記本体（１）の凹部/誘導部（９）において"機能する"ことを特徴とする、請求項１に記載のシートベルト切断装置。
【請求項６】
前記刃（６）は、両端とも刃であることを特徴とする、請求項１から５のいずれか一項に記載のシートベルト切断装置。
【請求項７】
前記安全手段は、その長さに沿う小さい球体（１２）を有するストラップ（１１）と、前記上述のストラップ（１１）が通過する穴（１４）を有する小さい円形部（１３）とによって、好ましくは構成されることを特徴とする、請求項１から６のいずれか一項に記載のシートベルト切断装置。
【請求項８】
前記上述のストラップ（１１）は、プラスチック材料、好ましくはナイロンにより、好ましくは形成されていることを特徴とする、請求項１から７のいずれか一項に記載のシートベルト切断装置。
【請求項９】
前記上述のストラップ（１１）は、前記本体（１）の前記側方の壁に存在する側方の穴（４）と、前記上述のカバー（７）の前記穴（８）と、前記円形部（１３）の前記穴（１４）とに挿入されることを特徴とする、請求項１から８のいずれか一項に記載のシートベルト切断装置。
【請求項１０】
前記部分（１３）の前記上述の穴（１４）は、前記小さい球体（１２）を保持するための小さい溝を含むことを特徴とする、請求項１から９のいずれか一項に記載のシートベルト切断装置。
【請求項１１】
前記ベルト（２）の前記切断は、前記使用者が前記本体（１）上で前記上述のカバーを回転させる際に、前記ストラップ（１１）が前記円形部から取り出された後で起こることを特徴とする、請求項１から１０のいずれか一項に記載のシートベルト切断装置。
【請求項１２】
前記構成部分（１及び７）の前記回転は、前記右側又は前記左側に実施されることを特徴とする、請求項１から１１のいずれか一項に記載のシートベルト切断装置。
【請求項１３】
前記本体（１）及び前記カバー（７）は、円形であることを特徴とする、請求項１から１２のいずれか一項に記載のシートベルト切断装置。
【発明の詳細な説明】
【技術分野】
【０００１】
本発明は、全ての種類の陸用及び空用の乗り物に適用可能な、シートベルト切断装置を構成する。
【背景技術】
【０００２】
シートベルトは、全ての種類の乗り物の全ての乗客のために不可欠な安全装置を構成する。それは、輸送用の乗り物の乗員を守るための装置であり、乗客が乗り物の外へ投げ出されることを防止し、及び/又は、乗客の体が乗り物の固い部分へ投げ出されることを防止する。シートベルトを用いることは、実際、事故の場合に深刻な負傷を避けるための最も安価で簡単な手段である。その使用は、全ての乗り物に必須である。
【０００３】
しかし、事故が起こったあとで、乗客がシートベルト施錠システムを解除できず、結果的に乗り物から離れることができない場合がある。実際、シートベルトから自らを解放することができない状況のために、車の事故にて死亡するかなりの数の乗客がいる。
【０００４】
既存のシステムは、欠点を有しており、ここでは、その最小化及び/克服が意図されている。
【発明の概要】
【０００５】
本発明の主な目的は、乗客が締まったシートベルトを、施錠システムを解除できない事故の後で、損傷した乗り物から離れるために、簡単かつ安全な方法で切断できるように特別に設計される装置を作成することである。
【０００６】
本発明の他の目的は、誤使用による切断の事故を引き起こさず、かつ、不注意で作動しない、シートベルト自体に組み込まれるシートベルトカッターの設計を構成する。
【図面の簡単な説明】
【０００７】
他の目的及び利点は、以下の説明の過程と添付図面とで理解され、限定することなく以下に示される。
【図１】カッターの本体の斜視図である。
【図２】図１に示される本体の立面図である。
【図３】カッターの本体のカバーの平面図である。
【図４】カバーの立面図である。
【図５】カッターの安全手段の斜視図である。
【図６】適切に組み立てられた、本発明の切断装置を伴うシートベルトの斜視図である。
【発明を実施するための形態】
【０００８】
図面から観察され得るように、本発明の切断装置は、本体（１）と、本体（１）のカバー（７）と、刃（６）と、安全手段（５）とによって構成される。
【０００９】
本体（１）は、それを介してベルト（２）がスライドする部材を構成する。この目的のために、本体（１）は、ベルトスライド誘導部を構成する２つのフラップ部(flaps)（３）が備えられる。また、本体（１）は、以下で説明するように、安全手段を挿入するための穴（４）と、刃（６）の誘導部（９）とを有する。
【００１０】
カバー（７）は、その下側の部分にフラップ部（３）内での移動を誘導するフラップ部(flap)（１０）を有する。カバーの上側においては、穴（４）が、安全手段（５）の通過のために備えられる。カバー（７）は、カバーの投入時に組み込まれる、カバー内に正当に組み込まれる刃（６）も有する。
【００１１】
上述の説明から理解され得るように、ベルト（２）は、本体（１）にスライドする形態で組み立てられ、かつ、カバー（７）は、カバー（７）のための回転誘導部として機能する本体のフラップ部（３）内で回転できるように、本体へ適合する。刃（６）は、本体（１）の凹部/誘導部（９）において「機能する」。本体（１）におけるカバー（７）の組み立ては、それぞれのスライド誘導部においてベルト（２）が締められた後で、ベルトを切断する際に、切断動作を妨害するねじれ及び皺が形成されることを防止する。
【００１２】
刃（６）は、カバー（７）に正当に組み込まれ、両端を刃とし、かつ、本体（１）の誘導部に適合するために、カバーから突出する。
【００１３】
装置の不注意による動作及びベルトの切断の場合に備えて、安全手段（５）が備えられる。これらは、好ましくはその長さに沿って小さい球体（１２）を有するストラップ（１１）と、ストラップ（１１）が通る穴（１４）を有する小さい円形部（１３）とによって構成される。このストラップは、好ましくは、プラスチック材料、好ましくはナイロンであり、本体（１）の側壁に存在する側方の穴（４）と、カバー（７）の穴（８）と、円形部（１３）の穴（１４）とに挿入される。この部分（１３）は、「封止部(seal)」として機能し、それの穴（１４）に、ストラップ（１１）のスライドを防止し、例えば、小さい球体（１２）を保持するための小さい溝を含む。
【００１４】
一旦、装置全体が実装されると、使用者/乗客は、本体の上のカバーを回転し、安全封止部を破壊し、ベルトを切断できる。それは、任意の方向に回転できる。
【００１５】
回転及び対応する切断は、ストラップ（１１）が引っ張られ、かつ、安全手段（５）から切断されるのに幾分かの力を働かせる必要があるため、不用意に発生しないようにできる。それ故に、子供が切断装置を動作させるのは非常に困難である。言い換えれば、装置の動作には、常に、意図的な動作を必要とする。安全封止部、例えば、部分（１３）のストラップ（１１）の破壊まで、カバーは、ベルトの切断を進行させる本体上の回転が容易にできない。
【００１６】
加えて、上述した装置の構成要素は、好ましくはプラスチック材料、好ましくはポリウレタンであり、円形の構成を有し、かつ、それらの寸法は、それらが適用されるシートベルトに対して適しているであろう。
【図１】
2019501827.tif 000003
【図２】
2019501827.tif 000004
【図３】
2019501827.tif 000005
【図４】
2019501827.tif 000006
【図５】
2019501827.tif 000007
【図６】
2019501827.tif 000008
【図７】
2019501827.tif 000009
【国際調査報告】
2019501827.tif 000010
2019501827.tif 000011